(57)【要約】【課題】画像表示システムの利便性を向上する。【解決手段】Ｎ個（Ｎは２以上の整数）の画像供給装置と、画像供給装置から供給される供給画像を表示する画像表示装置と、を備える画像表示システムは、Ｎ個の画像供給装置は、それぞれに、同一のコンテンツを、Ｎ個の画像供給装置の間で同期して表示する第１の表示領域を含む画像を表示する第１の表示部を備え、画像表示装置は、第１の表示領域の表示内容を第１の表示部と同期して表示する第２の表示部を備える。Ｎ個の画像供給装置は、それぞれに、同一のコンテンツを、第１の表示部上で編集可能である。【選択図】図４
2010032854.tif 000002
【特許請求の範囲】
【請求項１】
複数の画像供給装置と、前記画像供給装置から供給される供給画像を表示する画像表示装置と、を備える画像表示システムにおける方法であって、
前記複数の画像供給装置は、それぞれに、共有されるコンテンツを、前記Ｎ個の画像供給装置の間で同期して表示する第１の表示部に画像を表示し、
前記複数の画像供給装置のうち少なくとも１つは、前記第１の表示部に表示される表示内容を画像表示装置に供給し、
前記複数の画像供給装置は、それぞれに、前記共有されるコンテンツを、前記第１の表示部上で編集可能である、方法。
【請求項２】
請求項１に記載の方法であって、
前記複数の画像供給装置の間での前記第１の表示部の同期は、前記複数の画像供給装置のうちのいずれかの装置が、前記共有されるコンテンツの編集を行った装置における編集内容を取得すると共に、前記複数の画像供給装置のうち前記編集を行っていない装置に対して前記編集内容を送信することによって実行される、画像供給装置。
【請求項３】
請求項１または請求項２に記載の方法において、
前記複数の画像供給装置のうち少なくとも１つは、前記共有されるコンテンツの編集権を管理する編集権管理部を備え、
前記複数の画像供給装置は、
編集権を前記編集権管理部に要求し、
前記編集権を有していないときに、前記編集権管理部から前記編集権を取得し、
前記編集権を有している前記画像供給装置は、前記共有されるコンテンツの編集を許容され、前記編集権を有していない前記画像供給装置は、前記共有されるコンテンツの編集を許容されない、方法。
【請求項４】
請求項３に記載の方法であって、
前記複数の画像供給装置は、それぞれに、
前記編集権を有しているときに、利用者の指示に従って前記編集権を放棄し、
他の前記画像供給装置が前記編集権を取得することを許容する、方法。
【請求項５】
請求項３に記載の方法であって、
前記複数の画像供給装置は、それぞれに、少なくとも自身が前記編集権を有しているときに、他の前記画像供給装置のいずれかが前記編集権を要求した場合に、当該要求を利用者に通知する、方法。
【請求項６】
請求項３に記載の方法であって、
前記複数の画像供給装置は、それぞれに、他の画像供給装置のいずれかが前記編集権を有しているときに、自身が編集権を取得できないことを利用者に通知する、方法。
【請求項７】
請求項１に記載の画像供給装置であって、
前記複数の画像供給装置は、それぞれに、
第１の表示部に加えて、前記画像供給装置自身が個々に保持するコンテンツを第２の表示部に表示し、
前記第２の表示部に表示されるコンテンツを、前記第１の表示部に前記共有されるコンテンツとして提供する、方法。
【請求項８】
請求項１に記載の方法であって、
前記共有されるコンテンツの内容を、前記画像供給装置自身が個々に保持するコンテンツとして保存できる、方法。
【請求項９】
Ｎ個（Ｎは２以上の整数）の画像供給装置と、前記画像供給装置から供給される供給画像を表示する画像表示装置と、を備える画像表示システムであって、
前記Ｎ個の画像供給装置は、それぞれに、共有されるコンテンツを、前記Ｎ個の画像供給装置の間で同期して表示する第１の表示部を備え、
前記画像表示装置は、前記第１の表示部に表示される表示内容を前記第１の表示部と同期して表示する第３の表示部を備え、
前記Ｎ個の画像供給装置は、それぞれに、前記共有されるコンテンツを、前記第１の表示部上で編集可能である、画像表示システム。
【請求項１０】
画像表示装置に表示すべき画像を供給する画像供給装置であって、
他の画像供給装置との間で共有されるコンテンツを同期して表示する第１の表示部と、
前記他の画像供給装置と前記画像供給装置の間で前記第１の表示部に表示されるコンテンツを同期して前記画像表示装置に供給する画像供給部と、
を備え、
前記画像供給装置は、前記共有されるコンテンツを、前記第１の表示部上で編集可能である、画像供給装置。
【請求項１１】
複数の画像供給装置と通信可能な画像表示装置であって、
前記複数の画像供給装置の間で共有されるコンテンツの画像を前記複数の画像供給装置がそれぞれ備える第１の表示部と同期して表示する同期画像表示部と、
前記共有されるコンテンツに対する編集の許容と禁止を、前記複数の画像供給装置に対して割り当てることによって、前記編集を管理する編集管理部と、
前記編集の内容を、前記複数の画像供給装置のうち前記編集を許容された装置から受信し、前記複数の画像供給装置のうち前記編集を禁止された装置に送信する編集内容配信部と、
を備える、画像表示装置。
【請求項１２】
画像表示装置に表示すべき画像を供給する画像供給装置のためのコンピュータプログラムであって、
他の画像供給装置との間で共有されるコンテンツを同期して表示する第１の機能と、
前記他の画像供給装置と前記画像供給装置の間で前記第１の表示部に表示されるコンテンツを同期して前記画像表示装置に供給する第２の機能と、
前記共有されるコンテンツを、利用者が前記第１の表示部上で編集することを許容する第３の機能と、
を前記画像供給装置のコンピュータに実現させる、コンピュータプログラム。
【請求項１３】
請求項１２に記載のコンピュータプログラムを記録したコンピュータ読み取り可能な記録媒体。
【発明の詳細な説明】
【技術分野】
【０００１】
本発明は、画像供給装置と画像表示装置における画像表示制御に関する。
【背景技術】
【０００２】
プレゼンテーションを行う場合、表示装置に表示された全画面ではなく特定のウィンドウの画面のみを外部モニタに表示したい場合がある。これに対し、表示装置上に表示されている複数のウィンドウの中から、マウスポインタによって選択されたウィンドウの画像のみを外部モニタに出力させる技術が知られている（特許文献１）。
【０００３】
【特許文献１】特開２０００−３３９１３０号公報
【発明の開示】
【発明が解決しようとする課題】
【０００４】
しかし、従来は、複数の画像供給装置が画像表示装置に同時に接続することが考慮されておらず、複数の画像供給装置が画像表示装置に同時に接続する場合における利便性の向上が求められていた。
【０００５】
本発明は上記課題の少なくとも１つを解決し、画像表示システムにおける利便性を高めることを目的とする。
【課題を解決するための手段】
【０００６】
本発明は、上述の課題の少なくとも一部を解決するためになされたものであり、以下の形態または適用例として実現することが可能である。
【０００７】
［適用例１］複数の画像供給装置と、前記画像供給装置から供給される供給画像を表示する画像表示装置と、を備える画像表示システムにおける方法であって、前記複数の画像供給装置は、それぞれに、共有されるコンテンツを、前記Ｎ個の画像供給装置の間で同期して表示する第１の表示部に画像を表示し、前記複数の画像供給装置のうち少なくとも１つは、前記第１の表示部に表示される表示内容を画像表示装置に供給し、前記複数の画像供給装置は、それぞれに、前記共有されるコンテンツを、前記第１の表示部上で編集可能である、方法。
こうすれば、複数の画像供給装置の各利用者が共有するコンテンツを、第１の表示部上で編集できるので便利である。
【０００８】
［適用例２］適用例１に記載の方法であって、前記複数の画像供給装置の間での前記第１の表示部の同期は、前記複数の画像供給装置のうちのいずれかの装置が、前記共有されるコンテンツの編集を行った装置における編集内容を取得すると共に、前記複数の画像供給装置のうち前記編集を行っていない装置に対して前記編集内容を送信することによって実行される、方法。
こうすれば、容易に前記同一のコンテンツの同期を取ることができる。
【０００９】
［適用例３］適用例１または適用例２に記載の方法において、前記複数の画像供給装置のうち少なくとも１つは、前記共有されるコンテンツの編集権を管理する編集権管理部を備え、前記複数の画像供給装置は、編集権を前記編集権管理部に要求し、前記編集権を有していないときに、前記編集権管理部から前記編集権を取得し、前記編集権を有している前記画像供給装置は、前記共有されるコンテンツの編集を許容され、前記編集権を有していない前記画像供給装置は、前記共有されるコンテンツの編集を許容されない、方法。
こうすれば、編集権という概念を用いて、前記同一のコンテンツの編集を行える装置について、複数の画像供給装置の間で調停を行うことができる。
【００１０】
［適用例４］適用例３に記載の方法であって、前記複数の画像供給装置は、それぞれに、前記編集権を有しているときに、利用者の指示に従って前記編集権を放棄し、他の前記画像供給装置が前記編集権を取得することを許容する、方法。
こうすれば、編集権を保持する画像供給装置が編集権を放棄することによって、他の画像供給装置が編集権を取得できるので、複数の画像供給装置がスムーズに同一のコンテンツを編集することができる。
【００１１】
［適用例５］適用例３に記載の方法であって、前記複数の画像供給装置は、それぞれに、少なくとも自身が前記編集権を有しているときに、他の前記画像供給装置のいずれかが前記編集権を要求した場合に、当該要求を利用者に通知する、方法。
こうすれば、編集権を保持する画像供給装置の利用者は、他の画像供給装置の利用者が編集権を要求していることを認識できるので、複数の画像供給装置を用いて複数の利用者がスムーズに同一のコンテンツを編集することができる。
【００１２】
［適用例６］適用例３に記載の方法であって、前記複数の画像供給装置は、それぞれに、他の画像供給装置のいずれかが前記編集権を有しているときに、自身が編集権を取得できないことを利用者に通知する、方法。
こうすれば、編集権を保持していない画像供給装置の利用者は、現在、編集権を取得できないことを認識できる。
【００１３】
［適用例７］適用例１に記載の画像供給装置であって、前記複数の画像供給装置は、それぞれに、第１の表示部に加えて、前記画像供給装置自身が個々に保持するコンテンツを第２の表示部に表示し、前記第２の表示部に表示されるコンテンツを、前記第１の表示部に前記共有されるコンテンツとして提供する、方法。
こうすれば、複数の画像供給装置が個々に保持するコンテンツを、複数の利用者が編集可能なコンテンツとして、容易に提供できるので、便利である。
【００１４】
［適用例８］適用例１に記載の方法であって、前記共有されるコンテンツの内容を、前記画像供給装置自身が個々に保持するコンテンツとして保存できる、方法。
こうすれば、複数の利用者が編集したコンテンツを、各利用者が、自身が利用する画像供給装置の固有のコンテンツとして保存できるので便利である。
【００１５】
なお、本発明は、種々の形態で実現することが可能であり、例えば、画像表示装置、画像供給装置の他、画像表示方法、コンピュータプログラム、当該コンピュータプログラムを格納した記憶媒体等、様々な形態で実現することができる。
【発明を実施するための最良の形態】
【００１６】
Ａ．実施例
・画像表示システムの構成
図１は、実施例における画像表示システムの概略構成を示す説明図である。画像表示システム１は、４つの画像供給装置１００〜１００ｄおよび画像表示装置２００を備えている。２つの画像供給装置１００ａ〜１００ｄは、それぞれ、画像表示装置２００と、無線ローカルエリアネットワーク（ＬＡＮ）を介して接続されている。画像供給装置１００ａ〜１００ｂｄと画像表示装置２００とは、他の接続方法で接続されても良く、例えば、ユニバーサルシルアルバス（ＵＳＢ）ケーブルを介して接続されても良い。
【００１７】
・画像供給装置の構成：
図２は、実施例における画像供給装置の内部構成を模式的に示すブロック図である。２つの画像供給装置１００ａ〜１００ｄの内部構成は、同一であるので、末尾の符号を省略した画像供給装置１００の構成として説明する。画像供給装置１００は、例えば、一般的にノートパソコンである。画像供給装置１００は、中央処理装置（ＣＰＵ）１１０と、ハードディスクドライブ（ＨＤ）１２０と、描画用メモリ（ＶＲＡＭ）１３０と、ランダムアクセスメモリ（ＲＡＭ）１４０と、キーボードやタッチパッドなどの操作部１５０と、液晶ディスプレイなどの表示部１６０と、無線ＬＡＮインタフェース（ＩＦ）１７０とを備えている。これらの各構成要素１１０〜１７０は、共通のバス１８０を介して双方向通信可能に接続されている。なお、ＨＤ１２０に代えて、不揮発性の半導体メモリが備えられても良い。
【００１８】
ＣＰＵ１１０は、各種演算処理を実行する論理回路であり、例えば、ＨＤ１２０に格納されている各種プログラム、モジュールをＲＡＭ１４０に展開して実行する。ＲＡＭ１４０は揮発性のメモリであり、ＣＰＵ１１０の演算結果、画像表示装置２００に供給する表示画像のデータを一時的に格納する。ＶＲＡＭ１３０は、データに基づいて描画された表示画像のデータを展開し、一時的にバッファしておくためのメモリであり、一般的に、ＲＡＭ１４０よりも高速なデータの読み書きが可能である。無線ＬＡＮ／ＩＦ１７０は、画像供給装置１００と外部機器、例えば、画像表示装置２００との間で、無線によって信号をやりとりする。無線に代えて、有線のインタフェース、例えば、ＵＳＢインタフェースを備えていても良い。
【００１９】
ＨＤ１２０は、画像供給プログラムＰ１と、コンテンツ用プログラムＰ２〜Ｐ４と、コンテンツファイルＦ１〜Ｆ３を格納している。コンテンツ用プログラムとして、本実施例では、ワープロプログラムＰ２と、メールプログラムＰ３と、表計算プログラムＰ４が格納されているが、これらのコンテンツプログラムの種類や数は任意のものが用いられ得る。コンテンツファイルＦ１〜Ｆ３は、コンテンツ用プログラムＰ２〜Ｐ４を用いて作成、および／または表示がなされるファイルである。例えば、コンテンツファイルは、ワープロプログラムＰ２を用いて作成および表示がなされる文書ファイル、メールプログラムＰ３を用いて作成および表示がなされるメールファイル、表計算プログラムＰ４を用いて作成および表示がなされる表計算ファイルなどである。また、これらに代えて、ビューワプログラムを用いて表示される静止画ファイルや動画ファイル、プレゼンプログラムを用いて作成および／または表示されるプレゼンファイルなどが用いられ得る。
【００２０】
画像供給プログラムＰ１は、コンテンツ提供モジュールＭ１と、編集権要求モジュールＭ２と、編集権取得モジュールＭ３と、編集権放棄モジュールＭ４と、表示画像供給モジュールＭ５と、編集内容同期モジュールＭ６とを含んでいる。なお、各モジュールは、ＣＰＵ１１０によって実行されることによって各種機能を実現する。
【００２１】
コンテンツ提供モジュールＭ１は、他の画像供給装置１００が編集することを許容する共有コンテンツを、自身が保持するコンテンツの中から提供する。共有コンテンツは、画像供給装置１００ａ〜１００ｄのうち、コンテンツの提供元である画像供給装置１００のコンテンツ提供モジュールＭ１から画像表示装置２００に送信され、画像表示装置２００から他の画像供給装置１００に配布される。ここで、コンテンツとは、コンテンツ用プログラム（アプリケーション）単位にて提供される表示画面であり、ワープロプログラムＰ２における文書作成画面、メールプログラムＰ３におけるメール作成画面、表計算プログラムＰ４における表計算ファイル作成画面、プレゼンプログラムにおけるプレゼンテーション画面、動画コンテンツを再生する再生画面、静止画像の編集画面・表示画面を含む。また、画像供給装置１００の表示部１６０の背景として表示されている、いわゆるデスクトップ画面もコンテンツに含まれる。なお、これらコンテンツは、例えば、ウィンドウズ（登録商標）をオペレーティングシステムとする場合、ウィンドウと呼ばれているので、以下では、「ウィンドウ」とも呼ぶ。また、編集とは、コンテンツの内容の一部または全部を改変、削除、追加することをいう。
【００２２】
編集権要求モジュールＭ２は、共有コンテンツの編集権を有していない場合に、共有コンテンツの編集権を要求する。編集権の管理は、後述するように、画像表示装置２００が行っており、編集権要求モジュールＭ２は、画像表示装置２００に対して、編集権を要求する。編集権は、共有コンテンツを編集する権利であり、画像供給装置１００ａ〜１００ｄのうちの複数の画像供給装置１００が同時に編集権を保持することはできない。すなわち、ある時点において、画像供給装置１００ａ〜１００ｄのうちのいずれか１つが編集権を保持することができる。
【００２３】
編集権取得モジュールＭ３は、編集権の要求時に、他の画像供給装置１００のいずれもが編集権を有していない場合に、編集権の要求に対する応答として画像表示装置２００から編集権を取得する。
【００２４】
編集権放棄モジュールＭ４は、編集権を自身が有している場合に、当該編集権を放棄する。編集権を保持する画像供給装置１００が編集権を放棄すると、編集権を保持する画像供給装置１００が存在しなくなり、他の画像供給装置１００が編集権を取得できる状態になる。
【００２５】
表示画像供給モジュールＭ５は、共有コンテンツの画像を画像表示装置２００に対して供給する。表示画像供給モジュールＭ５は、全ての画像供給装置１００が有している必要はなく、画像供給装置１００ａ〜１００ｄのうちのいずれかが有していれば良い。
【００２６】
編集内容同期モジュールＭ６は、画像供給装置１００ａ〜１００ｄにおいて、供給コンテンツの編集内容を同期させる。例えば、編集権を保持している画像供給装置１００の編集内容同期モジュールＭ６は、利用者が共有コンテンツを編集した場合、その編集内容を画像表示装置２００に送信する。また、編集権を保持する他の画像供給装置１００が共有コンテンツを編集したときに、編集内容同期モジュールＭ６は、画像表示装置２００から当該編集内容を受信して、自身が保持する共有コンテンツのデータに反映させる。
【００２７】
・画像表示装置の構成：
図３は、実施例における画像表示装置の内部構成を模式的に示すブロック図である。本実施例における画像表示装置２００は、プロジェクタである。画像表示装置２００は、ＣＰＵ２１０と、不揮発性メモリ（本実施例では、ＥＰＲＯＭ（Erasable Programmable Read Only Memory））３２０と、ＶＲＡＭ２３０と、ＲＡＭ２４０と、操作ボタン、タッチパネルなどの操作部２５０と、画像表示部２６０と、光学系２７０と、無線ＬＡＮ／ＩＦ２８０と、を備えている。これらの構成要素２１０〜２８０は、共通のバス２９０を介して双方向通信可能に接続されている。ＥＰＲＯＭ３２０に代えて、磁気ディスク式記憶装置が用いられても良い。
【００２８】
ＣＰＵ２１０は、各種演算処理を実行する論理回路であり、例えば、ＥＰＲＯＭ２２０に格納されている各種プログラム、モジュールをＲＡＭ２４０に展開して実行する。ＲＡＭ２４０は揮発性のメモリであり、ＣＰＵ２１０の演算結果を一時的に格納する。ＶＲＡＭ３３０は、画像表示部２６０に供給する画像データを、一時的にバッファしておくためのメモリである。画像表示部３４０は、ＶＲＡＭ２３０に格納されている画像データを用いて投射用の画像を生成するために用いられる。画像表示部２６０としては、例えば、ＲＧＢ光源からの光を、液晶パネルを用いて変調する装置、デジタル・マイクロミラー・デバイス（ＤＭＤ）を用いて変調する装置が用いられ得る。光学系２７０は、複数のレンズから構成され、画像表示部２６０において生成された画像を所望の大きさにて投射面に投射するために用いられる。無線ＬＡＮ／ＩＦ２８０は、画像表示装置２００と外部機器、例えば、画像供給装置１００との間で、無線によって信号をやりとりする。無線に代えて、有線のインタフェース、例えば、ＵＳＢインタフェースを備えていても良い。
【００２９】
ＥＰＲＯＭ２２０は、画像表示装置２００を制御するための制御プログラムＰ２０を格納している。制御プログラムＰ２０は、画像表示装置２００を制御するための様々な機能を含んでいるが、ここでは、本実施例の説明に必要な機能の選択的に図示している。制御プログラムＰ２０は、画像取得モジュールＭ２１と、表示画像生成モジュールＭ２２と、表示画像出力モジュールＭ２３と、コンテンツ配布モジュールＭ２４と、編集権管理モジュールＭ２５と、編集内容同期モジュールＭ２６とを含んでいる。なお、各モジュールは、ＣＰＵ１１０によって実行されることによって各種機能を実現する。
【００３０】
画像取得モジュールＭ２１は、画像供給装置１００から後述するプロジェクタ投影画像に表示すべき共有コンテンツの画像を取得する。表示画像生成モジュールＭ２２は、取得された表示コンテンツの画像を含むプロジェクタ投影画像の画像データを生成する。表示画像出力モジュールＭ２３は、生成された画像データに基づき、画像表示部２６０に表示画像を表示する。
【００３１】
コンテンツ配布モジュールＭ２４は、画像供給装置１００ａ〜１００ｄのいずれかから共有コンテンツとして提供されたコンテンツの内容（ファイル）を、提供者以外の画像供給装置１００に配布する。これによって、４つの画像供給装置１００ａ〜１００ｄが同一のコンテンツを共有コンテンツとして取得することができる。
【００３２】
編集権管理モジュールＭ２５は、編集権を管理する。例えば、編集権を保持する画像供給装置１００が存在しないときに、画像供給装置１００から編集権の要求を受け付けた場合、編集権管理モジュールＭ２５は、当該画像供給装置１００に対して編集権を与える。一方、編集権を保持する画像供給装置１００が存在するときに、他の画像供給装置１００から編集権の要求を受け付けた場合、編集権は与えられない旨を当該画像供給装置１００に通知する。また、編集権管理モジュールＭ２５は、編集権を保持している画像供給装置１００が存在するときには、編集権を保持していない画像供給装置１００に対して、編集権を保持する画像供給装置１００を特定する情報を送信する。
【００３３】
編集内容同期モジュールＭ２６は、画像供給装置１００ａ〜１００ｄが所有する共有コンテンツの内容を同期する。具体的には、編集権を保持している画像供給装置１００から編集内容を受信して、受信した編集内容を、編集権を保持していない画像供給装置１００に対して送信する。こうすることで、画像供給装置１００ａ〜１００ｄが所有する共有コンテンツの内容をリアルタイムで同一に維持することができる。
【００３４】
・画像表示システムの動作：
図４は、画像表示システムの動作の概要を説明する第１の説明図である。各画像供給装置１００ａ〜１００ｄのＲＡＭ１４０は、供給コンテンツ格納部ＭＥ１と、固有コンテンツ格納部ＭＥ２とが確保されている。供給コンテンツ格納部ＭＥ１は、画像供給プログラムＰ１によって確保されるメモリ領域であり、共有コンテンツ（例えば、図４：符号ＷＢなど）を格納するためのメモリ領域である。固有コンテンツ格納部ＭＥ２は、通常のワープロプログラムＰ２などがバッファ領域として用いる領域であり、画像供給装置１００上において起動されている各種のアプリケーションプログラムのコンテンツ（例えば、図４：符号Ｗ１〜Ｗ３など）が格納される領域である。詳細は後述するが、画像表示システム１では、まず、画像供給装置１００のいずれかが、固有コンテンツ格納部ＭＥ２に展開されているコンテンツの中の１つを共有コンテンツとして供給コンテンツ格納部ＭＥ１にコピーする。図４の例では、画像供給装置１００ｄのコンテンツＷ２が、共有コンテンツＷＢとして供給コンテンツ格納部ＭＥ１にコピーされている（図４：１参照）。供給コンテンツ格納部ＭＥ１にコピーされた共有コンテンツＷＢは、画像表示装置２００に対して送信され、画像表示装置２００のＲＡＭ２４０にコピーされる。図４の例では、画像供給装置１００ｄから共有コンテンツＷＢが画像表示装置２００に送信されている（図４：２参照）。いずれかの画像供給装置１００から共有コンテンツを受け取った画像表示装置２００は、その共有コンテンツをその他の画像供給装置１００に配布する（図４：３参照）。図４の例では、画像表示装置２００から画像供給装置１００ａ〜１００ｃにそれぞれ共有コンテンツＷＢが配布（送信）されている。各画像供給装置１００ａ〜１００ｃは、それぞれ、受け取った共有コンテンツＷＢを固有コンテンツ格納部ＭＥ２に格納する。
【００３５】
図５は、画像表示システムの動作の概要を説明する第２の説明図である。画像表示装置２００と各画像供給装置１００ａ〜１００ｄは、互いに編集内容を通信し合い、自身が保持する共有コンテンツＷＢに編集内容を反映させることにより、共有コンテンツＷＢの編集内容が常に同じになるように、共有コンテンツＷＢの同期を取る（図５：４参照）。さらに、各画像供給装置１００ａ〜１００ｄは、自身の固有コンテンツ格納部ＭＥ２に格納された共有コンテンツＷＢを、画像供給装置自身が固有に保持するコンテンツ（固有コンテンツ）として、固有コンテンツ格納部ＭＥ２にコピーすることができる（図５：５参照）。以下、図６〜図１８を参照して、画像表示システム１の動作について、プロジェクタ操作画面の説明を中心にさらに説明する。
【００３６】
図６は、画像表示システムの動作時に表示される画像の概略を示す図である。図６（Ａ）は、画像表示システム１の動作中に、画像供給装置１００ａ〜１００ｄのうち編集権を保持している画像供給装置１００（以下、編集権保持装置１００Ｘと呼ぶ。）の表示部１６０に表示される画像（以下、プロジェクタ操作画面とも呼ぶ。）を示している。図６（Ｂ）は、画像表示システム１の動作中に、画像供給装置１００ａ〜１００ｄのうち編集権を保持していない画像供給装置１００（以下、編集権非保持装置１００Ｙと呼ぶ。）のプロジェクタ操作画面を示している。図６に示す例では、編集権保持装置１００Ｘは、画像供給装置１００ｄであり、編集権非保持装置１００Ｙは、１００ａ〜１００ｃである。図６（Ａ）は、編集権保持装置１００Ｘとしての画像供給装置１００ｄのプロジェクタ操作画面を示し、図６（Ｂ）は、編集権非保持装置１００Ｙとしての画像供給装置１００ｃのプロジェクタ操作画面を示している。
【００３７】
プロジェクタ操作画面は、画像供給装置１００において、画像供給プログラムＰ１を起動すると表示される画面である。プロジェクタ操作画面には、第１領域ＳＳと、第２領域ＰＳとが表示される。第１領域ＳＳは、プロジェクタ投影画像に表示されている表示内容を、プロジェクタ投影画像と同期して表示する領域である。すなわち、画像表示装置２００の画像表示部２６０に表示される画像、すなわち、画像表示部２６０、光学系２７０を介して、スクリーンＳＣに投影される画像（プロジェクタ投影画像）は、第１領域ＳＳと同一の内容である。第２領域ＰＳは、画像供給装置１００の通常時（画像供給プログラムＰ１を起動していないとき）のデスクトップの画像を縮小表示する領域である。第２領域ＰＳには、通常時のデスクトップ画面と同様に、起動しているアプリケーション（例えば、ワープロプログラムＰ２やメールプログラムＰ３）のコンテンツＷ１、Ｗ２が表示される。第１領域ＳＳは、画像供給装置１００ａ〜１００ｄで共有する共有コンテンツを表示する。したがって、画像供給装置１００ａ〜１００ｄは、常に、同一の内容を第１領域ＳＳに表示している。第１領域ＳＳは、複数の領域に分割して、分割された領域ごとに、それぞれ共有コンテンツを表示することにより、複数の共有コンテンツを表示することができる。図６に示す例では、共有コンテンツＷＡ、ＷＢが、第１領域ＳＳにそれぞれ表示されている。
【００３８】
プロジェクタ操作画面には、さらに、第１のロックマークＬＩ１と、プログラム終了ボタンＣＢと、共有者アイコンＯＩが表示される。編集権保持装置１００Ｘの第１のロックマークＬＩ１近傍には、自身が共有コンテンツの編集権を保持して、他の画像供給装置１００による共有コンテンツの編集を禁止（ロック）していることを示す「ロック中」の文字が表示される。編集権非保持装置１００Ｙの第１のロックマークＬＩ１の近傍にはなにも表示されない。プログラム終了ボタンＣＢは、画像供給プログラムＰ１の終了を受け付けるボタンである。すなわち、利用者がプログラム終了ボタンＣＢをクリックすると、画像供給プログラムＰ１が終了される。共有者アイコンＯＩは、自身以外の共有コンテンツを編集可能な他の画像供給装置１００を表すアイコンである。例えば、画像供給装置１００ｄのプロジェクタ操作画面（図６（Ａ））には、他の画像供給装置１００ａ、１００ｂ、１００ｃをそれぞれ表す共有者アイコンＯＩである共有者アイコンＯＩａ、ＯＩｂ、ＯＩｃが表示される。このように、以下では、画像供給装置１００ａを表す共有者アイコンＯＩを、符号ＯＩａを用いて表すように、符号の末尾のアルファベットを画像供給装置１００と共有者アイコンＯＩとで対応させて表す。同様に、画像供給装置１００ｃのプロジェクタ操作画面（図６（Ｂ））には、他の画像供給装置１００ａ、１００ｂ、１００ｄをそれぞれ表す共有者アイコンＯＩａ、ＯＩｂ、ＯＩｄが表示される。
【００３９】
編集権非保持装置１００Ｙのプロジェクタ操作画面には、編集権を保持する他の画像供給装置１００が存在する場合に、編集者表示マークＭＭが表示される。編集者表示マークＭＭは、利用者が編集権を保持する画像供給装置１００を認識可能な態様で表示される。例えば、編集者表示マークＭＭは、編集権を保持する画像供給装置１００表す共有者アイコンＯＩの上方に表示される。図６（Ｂ）に示す例では、画像供給装置１００ｄが編集権を保持しているので、画像供給装置１００ｄを表す共有者アイコンＯＩｄの位置に表示されている。
【００４０】
編集権非保持装置１００Ｙのプロジェクタ操作画面には、随時、第２のロックマークＬＩ２が表示される。第２のロックマークＬＩ２は、他に編集権を保持している画像供給装置１００が存在するため、第２のロックマークＬＩ２が表示されている画像供給装置１００自身は、現在、編集権を取得できず、共有コンテンツを編集できないことを表している。
【００４１】
図７は、プロジェクタ操作画面を用いた画像表示システム１の操作について説明する第１の図である。画像表示システム１の操作は、基本的に、プロジェクタ操作画面上に位置指定アイコン（例えば、マウスカーソル、以下では、カーソルと呼ぶ。）ＡＡを操作することにより行われる。以下では、画像供給装置１００ｃの表示部１６０ｃに表示されるカーソルは、の符号の末尾に「ｃ」を付すというように、符号の末尾のアルファベットを画像供給装置１００とカーソルＡＡとで対応させて表す。
【００４２】
図７（Ａ）は、画像供給装置１００ｃのプロジェクタ操作画面に表示されたカーソルＡＡｃが、第２領域ＰＳ上にある状態におけるプロジェクタ操作画面を示している。この状態では、第２領域ＰＳが大きく強調表示される。一方、図７（Ｂ）は、画像供給装置１００ｃのプロジェクタ操作画面に表示されたカーソルＡＡｃが、第１領域ＳＳ上にある状態におけるプロジェクタ操作画面を示している。この状態では、第２領域ＰＳが小さく表示され、第１領域ＳＳが相対的に強調表示される。
【００４３】
図８は、プロジェクタ操作画面を用いた画像表示システム１の操作について説明する第２の図である。編集権保持装置１００Ｘとしての画像供給装置１００ｄのプロジェクタ操作画面において、第２領域ＰＳ上に２つのコンテンツ（ウインドウ）Ｗ１、Ｗ２が表示され、第１領域ＳＳには共有コンテンツが表示されていない状態（図８（Ａ））で、利用者がカーソルＡＡｄを操作して、第２領域ＰＳ上のコンテンツＷ１をドラッグして（図８（Ｂ））、第１領域ＳＳ上にドロップした（図８（Ｃ））とする。そうすると、第２領域ＰＳに表示されていたコンテンツＷ１の内容をコピーしたファイルＭＦが、第１領域ＳＳ上に作成される。元のコンテンツＷ１は、第２領域ＰＳに、そのまま残される。
【００４４】
図９は、プロジェクタ操作画面を用いた画像表示システム１の操作について説明する第３の図である。編集権保持装置１００Ｘとしての画像供給装置１００ｄのプロジェクタ操作画面の第１領域ＳＳに作成されたファイルＭＦを、利用者がカーソルＡＡｄを操作してダブルクリックする（図９（Ａ））と、ファイルＭＦの内容であるコンテンツＷ１が共有コンテンツＷＡとして第１領域ＳＳの全体に表示される（図９（Ｂ））。このとき、画像供給装置１００ｄ自身が保持していたコンテンツＷ１が、共有コンテンツＷＡとして、画像表示装置２００に送信される。画像表示装置２００は、受け取った共有コンテンツＷＡを、他の画像供給装置１００ａ〜１００ｃに配布する。すなわち、画像供給装置１００ｄのコンテンツＷ１が、画像表示システム１において、画像供給装置１００ａ〜１００ｄがそれぞれ編集可能な共有コンテンツＷＡとして提供されたことになる。そして、画像供給装置１００ａ〜１００ｄの第１領域ＳＳと、プロジェクタ投影画像は、同期して同様の内容を表示する。すなわち、プロジェクタ投影画像には、編集権保持装置１００Ｘとしての画像供給装置１００ｄの第１領域ＳＳ同様に、共有コンテンツＷＡが表示される。また、画像供給装置１００ａ〜１００ｃの第１領域ＳＳには、画像供給装置１００ｄの第１領域ＳＳ同様に、共有コンテンツＷＡが表示される。
【００４５】
図１０は、プロジェクタ操作画面を用いた画像表示システム１の操作について説明する第４の図である。編集権保持装置１００Ｘとしての画像供給装置１００ｄの利用者は、共有コンテンツＷＡを、自身が保持するコンテンツと同様に操作することができる。例えば、画像供給装置１００ｄの利用者が、カーソルＡＡｄを操作して、共有コンテンツＷＡの右角に配置された縮小表示ボタンＢ２をクリックする（図１０（Ａ））と、共有コンテンツＷＡは、第１領域ＳＳにおいて縮小表示される（図１０（Ｂ））。また、画像供給装置１００ｄの利用者が、カーソルＡＡｄを操作して、共有コンテンツＷＡの右角に配置された最小化ボタンＢ１をクリックする（図１０（Ｃ））と、共有コンテンツＷＡは、第１領域ＳＳに表示されたツールバーに、最小化状態ＷＡＢとして表示される（図１０（Ｄ））。
【００４６】
図１１は、プロジェクタ操作画面を用いた画像表示システム１の操作について説明する第５の図である。図１１（Ａ）および図１１（Ｂ）は、編集権保持装置１００Ｘとしての画像供給装置１００ｄのプロジェクタ操作画面を示している。一方、図１１（Ｃ）および図１１（Ｄ）は、編集権非保持装置１００Ｙとしての画像供給装置１００ｃのプロジェクタ操作画面を示している。編集権保持装置１００Ｘとしての画像供給装置１００ｄの利用者は、共有コンテンツＷＡを、自身が保持するコンテンツと同様に第１領域ＳＳ上で編集することができる。例えば、共有コンテンツＷＡにメッセージＭＳを追加することができる（図１１（Ａ））。一方、編集権非保持装置１００Ｙ（編集権保持装置１００Ｘが画像供給装置１００ｄである場合には、画像供給装置１００ａ〜１００ｃ）は、共有コンテンツＷＡを編集することができない。編集権非保持装置１００Ｙの利用者は、共有コンテンツＷＡを編集したい場合、カーソルＡＡを操作して、第１領域ＳＳ上をダブルクリックする（図１１（Ｂ））。編集権非保持装置１００Ｙの利用者によるこの操作は、編集権を画像表示装置２００に対して要求する操作である。画像表示装置２００は、編集権非保持装置１００Ｙからの編集権の要求を受信すると、編集権保持装置１００Ｘに対して、特定の編集権非保持装置１００Ｙから編集権の要求があった旨を通知する。例えば、編集権保持装置１００Ｘは、かかる通知を受信すると、利用者に対して、特定の編集権非保持装置１００Ｙの利用者が編集権を要求していることを認識させる表示を行う。図１１に示す例では、編集権非保持装置１００Ｙとしての画像供給装置１００ｃが、編集権の要求を行っている（図１１（Ｃ））ので、画像供給装置１００ｃが編集権を要求していることが、画像表示装置２００から編集権保持装置１００Ｘとしての画像供給装置１００ｄに通知される。そして、当該通知を受けた画像供給装置１００ｄのプロジェクタ操作画面では、画像供給装置１００ｃを表す共有者アイコンＯＩｃが点滅する（図１１（Ｂ））。これにより、画像供給装置１００ｄの利用者は、画像供給装置１００ｃの利用者が編集権を要求していることを認識する。ここで、画像供給装置１００ｃが編集権を要求していることは、編集権保持装置１００Ｘとしての画像供給装置１００ｄだけでなく、他の編集権非保持装置１００Ｙである画像供給装置１００ａ、１００ｂにも通知されて良い。そうすれば、画像供給装置１００ａ、１００ｂの利用者も、画像供給装置１００ｃの利用者が編集権を要求していることを認識することができる。ここで、特定の編集権非保持装置１００Ｙが編集権を要求していることを表示するアクションは、共有者アイコンＯＩの点滅に限られず、例えば、共有者アイコンＯＩを拡大・縮小させる表示アクションであっても良いし、共有者アイコンＯＩを振動させる表示アクションであっても良い。
【００４７】
また、画像表示装置２００は、編集権保持装置１００Ｘが存在するときに、編集権非保持装置１００Ｙからの編集権の要求を受信すると、編集権の要求を行った編集権非保持装置１００Ｙに対して、他の画像供給装置１００が編集権を保持しているため当該編集権非保持装置１００Ｙは編集権を取得できない旨を通知する。そして、当該通知を受けた編集権非保持装置１００Ｙのプロジェクタ操作画面では、第２のロックマークＬＩ２が表示される（図１１（ｄ））。これにより、これにより、その編集権非保持装置１００Ｙの利用者は、現在、編集権を取得できない旨を認識する。
【００４８】
図１２は、プロジェクタ操作画面を用いた画像表示システム１の操作について説明する第６の図である。図１２（Ａ）および図１２（Ｂ）は、画像供給装置１００ｄのプロジェクタ操作画面を示している。一方、図１２（Ｃ）および図１２（Ｄ）は、画像供給装置１００ｃのプロジェクタ操作画面を示している。編集権保持装置１００Ｘの利用者は、カーソルＡＡを操作して、プロジェクタ操作画面の第１のロックマークＬＩ１をクリックすることにより、いつでも、保持している編集権を放棄することができる。図１２（Ａ）では、編集権保持装置１００Ｘとしての画像供給装置１００ｄにおいて、利用者がプロジェクタ操作画面の第１のロックマークＬＩ１をクリックして、編集権を放棄した様子を示している。第１のロックマークＬＩ１の近傍には、編集権を放棄したことを示す「ロック解除」が表示されている。編集権保持装置１００Ｘにおいて、編集権の放棄がなされると、全ての画像供給装置１００ａ〜１００ｄが編集権非保持装置１００Ｙとなる。したがって、図１２（ｃ）に示すように、編集権非保持装置１００Ｙとしての画像供給装置１００ｃの共有者アイコンＯＩａ、ＯＩｂ、ＯＩｄのいずれの上方にも、編集者表示マークＭＭは表示されなくなる。このように編集権保持装置１００Ｘが存在しない状態で、画像供給装置１００ｃにおいて、利用者が最初に第１領域ＳＳをクリックして、編集権を要求する（図１２（Ａ））と、画像供給装置１００ｃは画像表示装置２００から編集権を取得して編集権保持装置１００Ｘとなる（図１２（Ｄ））。すなわち、編集権保持装置１００Ｘが存在しない状態では、編集権非保持装置１００Ｙである画像供給装置１００ａ〜１００ｄのうち、最も早く編集権を画像表示装置２００に対して要求した画像供給装置１００が、新たに編集権保持装置１００Ｘとなる。新たな編集権保持装置１００Ｘは、前の編集権保持装置１００Ｘと同様に、共有コンテンツＷＡを自由に編集することができる。図１２（Ｄ）に示すように、画像供給装置１００ｄが新たに編集権保持装置１００Ｘになった場合には、他の編集権非保持装置１００Ｙのプロジェクタ操作画面に表示された共有者アイコンＯＩｃの上方に、編集者表示マークＭＭが表示される（図１２（Ｂ））。
【００４９】
図１３は、プロジェクタ操作画面を用いた画像表示システム１の操作について説明する第７の図である。編集権保持装置１００Ｘは、複数のコンテンツを、共有コンテンツとして、提供することができ、プロジェクタ操作画面のＳＳおよびプロジェクタ投影画像には、複数の共有コンテンツが表示され得る。例えば、新たに編集権保持装置１００Ｘとなった画像供給装置１００ｃのプロジェクタ操作画面において、第２領域ＰＳ上に２つのコンテンツＷ１、Ｗ２が表示され、第１領域ＳＳには共有コンテンツＷＡが表示されている状態（図１３（Ａ））で、利用者がカーソルＡＡｃを操作して、第２領域ＰＳ上のコンテンツＷ２をドラッグして（図１３（Ｂ））、第１領域ＳＳ上にドロップした（図１３（Ｃ））とする。そうすると、第２領域ＰＳに表示されていたコンテンツＷ２の内容をコピーしたファイルＷＦが、第１領域ＳＳ上に作成される。元のコンテンツＷ２は、第２領域ＰＳに、そのまま残される。
【００５０】
図１４は、プロジェクタ操作画面を用いた画像表示システム１の操作について説明する第８の図である。編集権保持装置１００Ｘとしての画像供給装置１００ｃのプロジェクタ操作画面の第１領域ＳＳに作成されたファイルＷＦを、利用者がカーソルＡＡｃを操作してダブルクリックする（図１４（Ａ））と、ファイルＷＦの内容であるコンテンツＷ２が共有コンテンツＷＢとして第１領域ＳＳの全体に表示される（図１４（Ｂ））。このとき、画像供給装置１００ｃ自身が保持していたコンテンツＷ２が、共有コンテンツＷＢとして、画像表示装置２００に送信される。画像表示装置２００は、受け取った共有コンテンツＷＢを、他の画像供給装置１００ａ、１００ｂ、１００ｄに配布する。すなわち、画像供給装置１００ｃのコンテンツＷ２が、画像表示システム１において、画像供給装置１００ａ〜１００ｄがそれぞれ編集可能な共有コンテンツＷＢとして提供されたことになる。編集権保持装置１００Ｘとしての画像供給装置１００ｃの利用者は、共有コンテンツＷＢを、自身が保持するコンテンツと同様に操作することができる。例えば、画像供給装置１００ｃの利用者が、カーソルＡＡｃを操作して、共有コンテンツＷＢの右角に配置された縮小表示ボタンＢ２をクリックする（図１４（Ｃ））と、共有コンテンツＷＢは、第１領域ＳＳにおいて縮小表示される（図１４（Ｄ））。図１４（Ｄ）では、先に表示されていた共有コンテンツＷＡが、共有コンテンツＷＡの裏側に表示されていることが解る。画像供給装置１００ａ〜１００ｄの第１領域ＳＳと、プロジェクタ投影画像は、同期して同様の内容を表示する。すなわち、プロジェクタ投影画像には、編集権保持装置１００Ｘとしての画像供給装置１００ｃの第１領域ＳＳ同様に、共有コンテンツＷＡ、ＷＢが表示される。また、画像供給装置１００ａ、１００ｂ、１００ｄの第１領域ＳＳには、画像供給装置１００ｃの第１領域ＳＳ同様に、共有コンテンツＷＡ、ＷＢが表示される。
【００５１】
図１５は、プロジェクタ操作画面を用いた画像表示システム１の操作について説明する第９の図である。上述したように編集権保持装置１００Ｘとしての画像供給装置１００ｃの利用者は、共有コンテンツＷＡ、ＷＢを、自身が保持するコンテンツと同様に操作することができる。例えば、画像供給装置１００ｃの利用者が、カーソルＡＡｃを操作して、共有コンテンツＷＢをドラッグ（図１５（Ａ））して、右方向に移動させると、共有コンテンツＷＢは、右方向に移動する（図１５（Ｂ））。この場合も、また、画像供給装置１００ａ〜１００ｄの第１領域ＳＳと、プロジェクタ投影画像は、同期して同様の内容を表示する。プロジェクタ投影画像において、画像供給装置１００ｃの第１領域ＳＳ同様に、共有コンテンツＷＢが右方向に移動する。また、画像供給装置１００ａ、１００ｂ、１００ｄの第１領域ＳＳにおいて、画像供給装置１００ｃの第１領域ＳＳ同様に、共有コンテンツＷＢが右方向に移動する。
【００５２】
図１６は、プロジェクタ操作画面を用いた画像表示システム１の操作について説明する第１０の図である。編集権保持装置１００Ｘとしての画像供給装置１００ｃの利用者は、共有コンテンツＷＡ、ＷＢを保存することもできる。例えば、画像供給装置１００ｃの利用者が、カーソルＡＡｃを操作して、共有コンテンツＷＢの右上角に配置された終了ボタンをクリック（図１６（Ａ））すると、共有コンテンツＷＢの内容を保存するか否かの指示を利用者から受け付けるダイアログＤＡが表示される（図１６（Ｂ））。ここで、画像供給装置１００ｃの利用者が、カーソルＡＡｃを操作して、共有コンテンツＷＢの保存を選択すると、共有コンテンツＷＢの表示は消去され、共有コンテンツＷＢの内容を記録したファイルＷＦが第１領域ＳＳ上に作成される（図１６（Ｃ））。
【００５３】
図１７は、プロジェクタ操作画面を用いた画像表示システム１の操作について説明する第１１の図である。第１領域ＳＳにファイルＷＦが表示された状態で、各画像供給装置１００ａ〜１００ｄの利用者は、カーソルＡＡを操作して、ファイルＭＦをドラッグして（図１７（Ａ））、第２領域ＰＳにドロップ（図１７（Ｂ））することにより、共有コンテンツＷＢの内容を記録したファイルＭＦを、その画像供給装置１００自身が個々に保持して他人が編集できないファイルＷＦＣとして、コピーすることができる（図１７（Ｃ））。これにより、例えば、共有コンテンツＷＢとして第１領域ＳＳ上で画像供給装置１００ａ〜１００ｄの利用者が協力して編集したコンテンツの内容を、各画像供給装置１００ａ〜１００ｄが個々に保持するコンテンツとして取得することができる。
【００５４】
図１８は、プロジェクタ操作画面を用いた画像表示システム１の操作について説明する第１２の図である。第１領域ＳＳに表示された共有コンテンツを、画像供給装置１００が個々に保持するコンテンツとして保存する手法は、図１６、図１７を参照して説明した方法に加えて、以下のような手法がある。例えば、共有コンテンツＷＢを画像供給装置１００ｃの利用者が画像供給装置１００ｃが個々に保持するコンテンツとして保存する場合、画像供給装置１００ｃの利用者は、カーソルＡＡｃを操作して、共有コンテンツＷＢをドラッグして（図１８（Ａ））、第２領域ＰＳにドロップ（図１８（Ｂ））する。これにより、共有コンテンツＷＢの内容を、画像供給装置１００ｃ自身が個々に保持して他人が編集できないファイルＷＦＣとして、コピーすることができる（図１８（Ｃ））。
【００５５】
以上説明した実施例によれば、複数の画像供給装置１００と画像表示装置２００を含む画像表示システム１において、同一のコンテンツを複数の画像供給装置１００が第１領域ＳＳおよびプロジェクタ投影画像上で編集することができる。これにより、例えば、議事録を作成しながら会議を行うシチュエーションにおいて、出席者が協力して議事録を編集しながら会議を進められるなど、画像表示システム１を用いた新たな利便性を提供することができる。また、編集権を複数の画像供給装置１００のうち、１つのみが取得することができるように構成しているので、同時に複数の利用者が別々の画像供給装置１００を用いて編集することを避けることができる。この結果、共有コンテンツの内容が意図しないものになるなどの不都合を抑制することができる。さらに、画像表示システム１において、共有コンテンツの内容を、各画像供給装置１００が個々に保持するファイルとして保存することが、簡便で解りやすい操作によって可能とされている。
【００５６】
Ｂ．変形例：
・第１変形例：
上記実施例では、編集権保持装置１００Ｘが存在しない状態において、最も早く編集権を要求した画像供給装置１００が編集権を獲得していたが、編集権の割り当て手法は、これに限られない。例えば、前の編集権保持装置１００Ｘが編集権を放棄するときに、次の編集権保持装置１００Ｘを指定することにより、編集権が移動することとしても良い。また、編集権保持装置１００Ｘが存在するときに、編集権の要求があった場合に、編集権の要求があった順番に、順次に編集権を移動していくこととしても良い。
【００５７】
・第２変形例：
上記実施例では、画像表示装置２００が、各画像供給装置１００ａ〜１００ｄ間の共有コンテンツの同期を仲介しているが、各画像供給装置１００ａ〜１００ｄ間において共有コンテンツの同期を取る手法は、これに限られない。例えば、画像供給装置１００ａに、常に、各画像供給装置１００ａ〜１００ｄにおいてなされた編集内容が集められ、画像供給装置１００ａから他の各画像供給装置１００ｂ〜１００ｄに、編集内容を送信することによって、共有コンテンツの同期を取っても良い。
【００５８】
・第３変形例：
上記実施例では、共有コンテンツの提供は、第２領域ＰＳから第１領域ＳＳへのコンテンツのドラッグアンドドロップで行われるがこれに限られない。例えば、第２領域ＰＳにおいて、コンテンツをダブルクリックすると、当該コンテンツが共有コンテンツとして提供されることとしても良い。
【００５９】
・第４変形例：
上記実施例では、共有コンテンツを固有コンテンツとして保存することは、第１領域ＳＳから第２領域ＰＳへの共有コンテンツのドラッグアンドドロップで行われるがこれに限られない。例えば、第１領域ＳＳにおいて、共有コンテンツをダブルクリックすると、共有コンテンツが固有コンテンツとして保存されることとしても良い。
【００６０】
・第５変形例：
上記実施例では、プロジェクタ操作画面において、第１領域ＳＳと第２領域ＰＳとが同時に表示されているが、これに代えて、利用者の操作により、第１領域ＳＳが表示部１６０に表示されるモードと、第２領域ＰＳが表示されるモードを切り換え可能としても良い。
【００６１】
・第６変形例：
上記実施例では、画像表示装置２００はプロジェクタであるが、これに代えて、他の種類の画像表示装置を採用しても良い。具体的には、液晶ディスプレイ、有機ＥＬディスプレイ、プラズマディスプレイ、プロジェクタを内蔵したリアプロジェクションディスプレイなどが採用され得る。
【００６２】
・第７変形例：
上記実施例において、ハードウエアによって実現されていた構成の一部をソフトウエアに置き換えても良く、逆にソフトウエアによって実現されていた構成の一部をハードウエアに置き換えても良い。
【００６３】
以上、本発明の実施例および変形例について説明したが、本発明はこれらの実施例および変形例になんら限定されるものではなく、その要旨を逸脱しない範囲内において種々の態様での実施が可能である。
【図面の簡単な説明】
【００６４】
【図１】実施例における画像表示システムの概略構成を示す説明図。
【図２】実施例における画像供給装置の内部構成を模式的に示すブロック図。
【図３】実施例における画像表示装置の内部構成を模式的に示すブロック図。
【図４】画像表示システムの動作の概要を説明する第１の説明図。
【図５】画像表示システムの動作の概要を説明する第２の説明図。
【図６】画像表示システムの動作時に表示される画像の概略を示す図。
【図７】画像表示システムの操作について説明する第１の図。
【図８】画像表示システムの操作について説明する第２の図。
【図９】画像表示システムの操作について説明する第３の図。
【図１０】画像表示システムの操作について説明する第４の図。
【図１１】画像表示システムの操作について説明する第５の図。
【図１２】画像表示システムの操作について説明する第６の図。
【図１３】画像表示システムの操作について説明する第７の図。
【図１４】画像表示システムの操作について説明する第８の図。
【図１５】画像表示システムの操作について説明する第９の図。
【図１６】画像表示システムの操作について説明する第１０の図。
【図１７】画像表示システムの操作について説明する第１１の図。
【図１８】画像表示システムの操作について説明する第１２の図。
【符号の説明】
【００６５】
１００ａ〜１００ｄ…画像供給装置、１１０…ＣＰＵ、１５０…操作部、１６０…表示部、１８０…バス、２００…画像表示装置、２１０…ＣＰＵ、２５０…操作部、２６０…画像表示部、２７０…光学系、２９０…バス、３４０…画像表示部
【図１】
2010032854.tif 000003
【図２】
2010032854.tif 000004
【図３】
2010032854.tif 000005
【図４】
2010032854.tif 000006
【図５】
2010032854.tif 000007
【図６】
2010032854.tif 000008
【図７】
2010032854.tif 000009
【図８】
2010032854.tif 000010
【図９】
2010032854.tif 000011
【図１０】
2010032854.tif 000012
【図１１】
2010032854.tif 000013
【図１２】
2010032854.tif 000014
【図１３】
2010032854.tif 000015
【図１４】
2010032854.tif 000016
【図１５】
2010032854.tif 000017
【図１６】
2010032854.tif 000018
【図１７】
2010032854.tif 000019
【図１８】
2010032854.tif 000020